(57)【要約】【課題】  連結相手部材との連結が、連結部分を鋭角に曲げず、且つ、配管を長くすることなくできるポンプを提供し、併せて、冷却性能を充分に得ることのできる冷却装置を提供する。【解決手段】  ポンプ２１では、吸入口２６及び吐出口２７を互いに異なる方向に指向させることで、連結相手部材と、連結部分を鋭角に曲げず、且つ、配管を長くすることなく連結できるようになる。それゆえ、冷却装置では、冷却用の流体を、圧力損失少なく、流量及び流速も低下させることなく、受熱部及び放熱部を流通させ得て、冷却性能を充分に得ることができる。【選択図】  図１
2005294519.tif 000002
【特許請求の範囲】
【請求項１】
内部にポンプ室を有すると共に、そのポンプ室にそれぞれ連通する吸入口及び吐出口を有するケーシングと、
前記ポンプ室に回転可能に配設され、回転されることによって、流体を前記吸入口から前記ポンプ室に吸入して前記吐出口から吐出するインペラとを具え、
前記吸入口及び吐出口を互いに異なる方向に指向させたことを特徴とするポンプ。
【請求項２】
吸入口及び吐出口をそれぞれ複数有することを特徴とする請求項１記載のポンプ。
【請求項３】
請求項１又は２記載のポンプと、
このポンプが吐出する流体を通す受熱部と、
この受熱部を通った流体を通して放熱する放熱部とを具えることを特徴とする冷却装置
【請求項４】
受熱部がポンプと一体的に存することを特徴とする請求項３記載の冷却装置。
【請求項５】
放熱部が複数存することを特徴とする請求項３又は４記載の冷却装置。
【請求項６】
受熱部が複数存することを特徴とする請求項３又は５記載の冷却装置。
【請求項７】
ポンプと放熱部との連結部分、及びポンプと受熱部との連結部分の、少なくともいずれか一方の連結部分に、鈍角を成す部分が存することを特徴とする請求項３ないし６のいずれかに記載の冷却装置。
【請求項８】
請求項１又は２記載のポンプと、
このポンプが吐出する流体で熱が奪われる発熱部材を具えると共に、
その発熱部材から奪った熱を放出する放熱部を具えることを特徴とする電気機器。
【請求項９】
請求項１又は２記載のポンプと、
このポンプが吐出する流体で熱が奪われる発熱部材としてのＣＰＵを具えると共に、
そのＣＰＵから奪った熱を放出する放熱部を具えることを特徴とするパーソナルコンピュータ。
【発明の詳細な説明】
【技術分野】
【０００１】
本発明は、吸入口及び吐出口構造を改良したポンプ、並びにそれを用いた冷却装置及び電気機器とパーソナルコンピュータに関する。
【背景技術】
【０００２】
従来より、ポンプとしては、吸入口及び吐出口を有するケーシングの内部に形成されたポンプ室内に、流体（例えば液体）を運ぶためのポンプ溝を外周部に有する円盤状のインペラを回転可能に配設し、そのインペラを回転させることによって、前記ポンプ溝により、流体を前記吸入口から前記ポンプ室内に吸入して前記吐出口から吐出させるようにしたものが知られている。
【特許文献１】特開２００１−１２３９７８号公報
【特許文献２】特開２００１−１３２６７７号公報
【発明の開示】
【発明が解決しようとする課題】
【０００３】
上記従来のポンプを、例えば電気部品等の発熱部材を冷却する冷却装置に用いようとすると、図１１及び図１２に示す構成が考えられる。このものの場合、ポンプ１は、ケーシング２に、吸入口３及び吐出口４を同一方向に指向させて有する。又、その吸入口３及び吐出口４は、接近して配置される。
これに対して、放熱部５は、ケース主体６とケース蓋体７とで構成されるケース８の内部、特にはケース主体６の内部の上部に放熱器９を配置し、下部にファン１０を配置して構成される。
【０００４】
ケース８は、ケース主体６とケース蓋体７のそれぞれファン１０と対向する部分（下部）に、吸気口１１，１２を有し、ケース主体６の上面部に、吐気口１３を有する。
放熱器９は、横置きＵ字形のパイプ１４に多数のフィン１５を付設して構成され、パイプ１４の内部には冷却用の流体、この場合、液体が入れられる。
ファン１０は、内蔵したモータ（図示省略）により回転される。
【０００５】
そして、パイプ１４の入口部１６と出口部１７がポンプ１の吐出口４及び吸入口３の位置に合わせて折曲されており、この入口部１６と出口部１７にそれぞれ連結パイプ１８，１９によってポンプ１の吐出口４及び吸入口３が連結される。
この構成で、ポンプ１は、ケーシング２の図示しないインペラ（ポンプ溝）と対向した面２ａを電気部品等の発熱部材に密接させるようになっており、従って、その面２ａを有する部分が発熱部材から熱を受ける受熱部として機能する。
【０００６】
この状態で、ポンプ１を作動させれば、インペラが図示しないモータの駆動力で回転されることにより、放熱器９のパイプ１４内にある液体を、矢印Ａで示すように、吸入口３からポンプ室内に吸入し、吐出口４から吐出する。これによって、放熱器９のパイプ１４内にある液体が、ポンプ１のポンプ室とパイプ１４を通じて循環され、その過程で、電気部品等の発熱部材が発した熱をポンプ１のケーシング２（受熱部）を介して奪う。
【０００７】
又、このとき、放熱部５では、ファン１０が回転されることにより、ケース８外の空気を、矢印Ｂで示すように、吸気口１１，１２からケース８内に吸入し、放熱器９のフィン１５の各間を通して吐気口１３から吐出する。かくして、放熱器９が冷却され、該放熱器９のパイプ１４内を通る液体が冷却される。
そして、その冷却された液体が前記ポンプ１により吸入されるものであり、これを繰り返して、上記電気部品等の発熱部材が冷却される。
【０００８】
しかしながら、こうしたものの場合、ポンプ１と放熱部５との連結部分（図示例ではパイプ１４の入口部１６と出口部１７の部分）がそれぞれ２箇所で鋭角に曲がり、しかも、その配管が長くなることで、流路の圧力損失が増し、流体の流量及び流速が低下するために、冷却性能が充分に得られない。
【０００９】
本発明は上述の事情に鑑みてなされたものであり、従ってその目的は、連結相手部材との連結が、連結部分を鋭角に曲げず、且つ、配管を長くすることなくできるポンプを提供し、併せて、冷却性能を充分に得ることのできる冷却装置を提供すると共に、発熱部材を充分に冷却することのできる電気機器を提供し、更に、発熱部材としてのＣＰＵを充分に冷却することのできるパーソナルコンピュータを提供するにある。
【課題を解決するための手段】
【００１０】
上記目的を達成するために、本発明のポンプにおいては、内部にポンプ室を有すると共に、そのポンプ室にそれぞれ連通する吸入口及び吐出口を有するケーシングと、前記ポンプ室に回転可能に配設され、回転されることによって、流体を前記吸入口から前記ポンプ室に吸入して前記吐出口から吐出するインペラとを具え、前記吸入口及び吐出口を互いに異なる方向に指向させたことを特徴とする。
【００１１】
本発明の冷却装置においては、上述のポンプと、このポンプが吐出する流体を通す受熱部と、この受熱部を通った流体を通して放熱する放熱部とを具えることを特徴とする。
本発明の電気機器においては、上述のポンプと、このポンプが吐出する流体で熱が奪われる発熱部材を具えると共に、その発熱部材から奪った熱を放出する放熱部を具えることを特徴とする。
【００１２】
本発明のパーソナルコンピュータにおいては、上述のポンプと、このポンプが吐出する流体で熱が奪われる発熱部材としてのＣＰＵを具えると共に、そのＣＰＵから奪った熱を放出する放熱部を具えることを特徴とする。
【発明の効果】
【００１３】
上記構成のポンプによれば、吸入口及び吐出口が互いに異なる方向に指向していることで、連結相手部材と、連結部分を鋭角に曲げず、且つ、配管を長くすることなく連結できるようになる。
上記構成の冷却装置によれば、ポンプが、連結相手部材と、連結部分を鋭角に曲げず、且つ、配管を長くすることなく連結できるので、流体を冷却用として、圧力損失少なく、流量及び流速も低下させることなく、受熱部及び放熱部を流通させ得ることにより、冷却性能を充分に得ることができる。
【００１４】
上記構成の電気機器によれば、ポンプが、連結相手部材と、連結部分を鋭角に曲げず、且つ、配管を長くすることなく連結できるので、流体を冷却用として、圧力損失少なく、流量及び流速も低下させることなく、発熱部材から熱を奪って、放熱部を流通させ得ることにより、冷却性能を充分に得ることができる。
上記構成のパーソナルコンピュータによれば、ポンプが、連結相手部材と、連結部分を鋭角に曲げず、且つ、配管を長くすることなく連結できるので、流体を冷却用として、圧力損失少なく、流量及び流速も低下させることなく、発熱部材としてのＣＰＵから熱を奪って、放熱部を流通させ得ることにより、冷却性能を充分に得ることができる。
【発明を実施するための最良の形態】
【００１５】
以下、本発明の第１実施例（第１の実施形態）につき、図１ないし図５を参照して説明する。
まず、図１はポンプ２１を分解状態で斜視して示し、図２はポンプ２１を同じく分解状態で図１とは反対側から斜視して示し、図３はポンプ２１を組立て状態で横断して示している。
【００１６】
これらの図に示すように、ポンプ２１のケーシング２２は、ともに矩形状のケーシング主体２３とケーシング蓋体２４との組み合わせで構成される。ケーシング主体２３には、ポンプ室２５を図２に示す円形の凹陥部によって形成すると共に、そのポンプ室２５に連通させて吸入口２６及び吐出口２７をともに外方へ突出するように形成している。この外方へ突出した吸入口２６及び吐出口２７は、互いに異なる方向に指向しており、この場合、吸入口２６は斜め上方に指向し、吐出口２７は斜め下方に指向している。
【００１７】
又、ポンプ室２５には、吸入口２６と吐出口２７との間を隔絶する凸部２８を形成しており、吸入口２６及び吐出口２７は、その凸部２８を除くポンプ室２５の周長を大きく確保するために近接している。
ポンプ室２５の内部には、インペラ２９を回転可能に配設している。このインペラ２９は、図１に示すように、軸方向の一方側の面であるケーシング主体２３側の面２９ａに、ポンプ溝３０を多数の放射状リブ３１と交互に形成しており、中心部に軸方向の両側に突出する軸３２を有している。これに対して、前記ケーシング主体２３は、図２に示すように、前記凸部２８の端部に軸受部３３を有しており、この軸受部３３によって軸３２の片側（ケーシング主体２３側の部位）を支承するようにしている。
【００１８】
一方、インペラ２９の軸方向の他方側の面であるケーシング蓋体２４側には、円形の凹陥部３４を形成しており、前記軸３２の残る片側（ケーシング蓋体２４側の部位）は、その凹陥部３４の中心部に位置している。そして、凹陥部３４の内周部には、外周に磁性リング３５を一体的に有したリング状の永久磁石３６を装着している。なお、永久磁石３６は、磁極が周方向に多極となるように着磁している。
【００１９】
ケーシング蓋体２４には、ケーシング主体２３側とは反対側に円形の凹陥部３７を形成し、ケーシング主体２３側に、図１に示すように、上記凹陥部３７を囲繞するリング状の凹陥部３８を形成している。更に、上記凹陥部３７の外底部（ケーシング主体２３側）の中心部には軸受部３９を形成しており、この軸受部３９によって前記インペラ２９の軸３２の残る片側（ケーシング蓋体２４側の部位）を支承するようにしている。
【００２０】
ケーシング蓋体２４の凹陥部３７には、固定子４０を装着している。この固定子４０は、複数の磁極４１ａを有する固定子鉄心４１と、その各磁極４１ａに巻回された固定子巻線４２とにより構成しており、ケーシング蓋体２４をケーシング主体２３に組み合わせることによって、図３に示すように、前記永久磁石３６がケーシング蓋体２４のケーシング主体２３側の凹陥部３８内に位置し、上記固定子４０の各磁極４１ａの外周面が、ケーシング蓋体２４のケーシング主体２３側とは反対側の凹陥部３７の周壁３７ａを間に置いて、前記永久磁石３６の内周面に径方向の内側より対向している。
【００２１】
かくして、インペラ２９と、磁性リング３５、及び永久磁石３６とで回転子４３を構成し、この回転子４３と固定子４０とでモータ４４を構成している。
なお、組み合わせたケーシング主体２３とケーシング蓋体２４は、図１及び図２に示す複数のねじ４５によって結合固定している。ポンプ２１は、以上の構成である。
【００２２】
図４及び図５は、以上のポンプ２１を使用した冷却装置５１を示している。この冷却装置５１は、基本的には、先の図１１及び図１２に示した冷却装置と同じ構成であり、従って、ポンプ２１のほか、放熱部５２を有している。この放熱部５２は、ケース主体５３とケース蓋体５４とで構成されるケース５５の内部、特にはケース主体５３の内部の上部に放熱器５６を配置し、下部にファン５７を配置している。
【００２３】
ケース５５は、ケース主体５３とケース蓋体５４のそれぞれファン５７と対向する部分（下部）に、吸気口５８，５９を有し、ケース蓋体５４の上面部に、吐気口６０を有している。
放熱器５６は、横置きＵ字形のパイプ６１に多数のフィン６２を付設して構成しており、パイプ６１の内部には冷却用の流体、この場合、液体を入れている。
ファン５７は、内蔵したモータ（図示省略）により回転される。
【００２４】
ここで、パイプ６１は、その長さをできる限り大きくして放熱効果を高く得るべく、図中上下の間隔を離し、大形化している
そして、そのパイプ６１の入口部６３と出口部６４とを、ポンプ２１の吸入口２６及び吐出口２７の位置及び指向方向に合わせて少し（鈍角に）折曲しており、この入口部６３と出口部６４とに、それぞれ連結パイプ６５，６６によってポンプ２１の吐出口２７及び吸入口２６を連結している。従って、この場合、パイプ６１の入口部６３と出口部６４は、ポンプ２１と放熱器５６との連結部分であり、これらが鈍角を成している。
【００２５】
この構成で、ポンプ２１は、ケーシング２２のインペラ２９（ポンプ溝３０）と対向したケーシング主体２３の表面２３ａを電気部品等の発熱部材に密接させるようになっており、従って、その表面２３ａを有するケーシング主体２３が発熱部材から熱を受ける受熱部として機能するもので、要するに、冷却装置５１は、上記放熱部５２のほかに、受熱部を有し、その受熱部をポンプ２１が一体的に有している。又、この関係上、ポンプ２１は、ケーシング主体２３を熱伝導性の良い部材、特には金属で構成している。
【００２６】
この状態で、ポンプ２１におけるモータ４４の固定子巻線４２に通電すれば、インペラ２９を含む回転子４３が回転し、そのインペラ２９の回転によるポンプ溝３０の送液作用により、ポンプ２１が、放熱器５６のパイプ６１内にある液体を、矢印Ｃで示すように、連結パイプ６６を通じて吸入口２６からポンプ室２５内に吸入し、吐出口２７から連結パイプ６５を通じて吐出する。これによって、放熱器５６のパイプ６１内にある液体が、ポンプ２１のポンプ室２５とパイプ６１を通じて循環され、その過程で、電気部品等の発熱部材が発した熱をポンプ２１のケーシング主体２３（受熱部）を介して奪う。
【００２７】
又、このとき、放熱部５２では、ファン５７が回転されることにより、ケース５５外の空気を、矢印Ｄで示すように、吸気口５８，５９からケース５５内に吸入し、放熱器５６のフィン６２の各間を通して吐気口６０から吐出する。かくして、放熱器５６が冷却され、該放熱器５６のパイプ６１内を通る液体が冷却される。
そして、その冷却された液体が前記ポンプ２１により吸入されるものであり、これを繰り返して、上記電気部品等の発熱部材が冷却される。
【００２８】
なお、ポンプ２１による送液の量は、モータ４４の回転子４３の回転速度を変化させることによって変化させることが可能であり、それによって、上記電気部品等の発熱部材を冷却する性能も変化させることができる。
【００２９】
本構成のポンプ２１は、このように、例えば電気部品等の発熱部材を冷却する冷却装置５１に使用されるものであるが、吸入口２６及び吐出口２７が互いに異なる方向に指向するようにしている。これにより、連結相手部材である放熱部５２の放熱器５６におけるパイプ６１の入口部６３及び出口部６４と、連結部分を鋭角に曲げず（それぞれ１箇所で鈍角に曲げるに留めて）、且つ、配管を長くすることなく連結できる。よって、流路の圧力損失を少なく留め、流体の流量及び流速を低下させることのないようにできる。
【００３０】
又、本構成の冷却装置５１によれば、上述のポンプ２１を使用して構成しているので、流体を冷却用として、圧力損失少なく、流量及び流速も低下させることなく、受熱部及び放熱部を流通させ得ることになり、よって、冷却性能を充分に得ることができる。
更に、本構成の冷却装置５１によれば、受熱部をポンプ２１と一体的に有するものであり、その分、冷却装置５１をコンパクトに実現できる。なお、このように受熱部をポンプ２１と一体的に有する構成としては、ポンプ２１のケーシング２２に熱伝導性の良い部材を別途装着して、それを発熱部材に密接させるようにしても良い。
【００３１】
以上に対して、図６ないし図１０は本発明の第２ないし第６実施例（第２ないし第６の実施形態）を示すもので、第１実施例と同一の部分には同一の符号を付して説明を省略し、異なる部分についてのみ述べる。
【００３２】
［第２実施例］
図６に示す第２実施例においては、ポンプ２１の吸入口２６と吐出口２７とを、そのうちの吸入口２６のみを斜め下方に指向させることで、互いに異なる方向に指向させている。又、この場合、冷却装置７１は、受熱部７２を、ポンプ２１とは別体で、該ポンプ２１（吐出口２７）と放熱部５２（入口部６３）との間に連結パイプ７３，７４より連結して有している。なお、この場合の受熱部７２は、ポンプ２１が吐出する流体を通しつつ、発熱部材に密接するものである。又、この場合、ポンプ２１（吸入口２６）と放熱部５２（出口部６４）との連結部分である連結パイプ６５に鈍角の部分が存している。
【００３３】
このようにしても、ポンプ２１においては、連結相手部材である受熱部７２及び放熱部５２と、それぞれ連結部分を鋭角に曲げず、且つ、配管を長くすることなく連結できる。又、それゆえ、冷却装置７１においては、冷却性能を充分に得ることができる。なお、この場合のポンプ２１の吸入口２６と吐出口２７の指向方向は、それらを逆に、又は第１実施例と同じ形態で異ならせるようにしても良い。特に、それら吸入口２６と吐出口２７の指向方向を逆にした場合には、ポンプ２１と受熱部７２との連結部分である連結パイプ７３に鈍角の部分が存することになる。
【００３４】
［第３実施例］
図７に示す第３実施例においては、ポンプ２１が、吸入口２６と吐出口２７とを両側にそれぞれ有することで、複数有しており、冷却装置８１は、その各吸入口２６及び吐出口２７に放熱部５２を連結している。又、この場合、それらの吸入口２６と吐出口２７は、上記第２実施例の形態で指向方向を異ならせているが、上述同様、それらを逆に、又は第１実施例と同じ形態で指向方向を異ならせていても良い。更に、ポンプ２１は受熱部を一体的に有している。又、この場合も、ポンプ２１（吸入口２６）と放熱部５２の出口部６４との連結部分に鈍角の部分が存しているが、ポンプ２１の吸入口２６と吐出口２７の指向方向を逆にした場合には、ポンプ２１（吐出口２７）と放熱部５２の入口部６３との連結部分に鈍角の部分が存することになる。
【００３５】
このようにすることにより、ポンプ２１においては、連結相手部材である複数の放熱部５２と、それぞれ連結部分を鋭角に曲げず、且つ、配管を長くすることなく連結できる。又、それゆえ、冷却装置８１においては、発熱部材の冷却が、複数の放熱部５２を使用して、より効果的にできる。更に、それでいて、ポンプ２１が受熱部を一体的に有することで、冷却装置８１をコンパクトに実現できる。
【００３６】
［第４実施例］
図８に示す第４実施例においては、ポンプ２１が、第３実施例同様に、吸入口２６と吐出口２７とを両側にそれぞれ有することで、複数有しており、冷却装置９１は、その各吸入口２６及び吐出口２７に放熱部５２を連結するもので、更に、ポンプ２１の各吐出口２７と各放熱部５２との間に、それぞれ、ポンプ２１とは別体の受熱部７２を連結している。又、この場合も、ポンプ２１の吸入口２６と吐出口２７は、前記第２実施例の形態で指向方向を異ならせているが、前述同様、それらを逆に、又は第１実施例と同じ形態で指向方向を異ならせていても良い。又、この場合も、ポンプ２１（吸入口２６）と放熱部５２（出口部６４）との連結部分に鈍角の部分が存しているが、ポンプ２１の吸入口２６と吐出口２７の指向方向を逆にした場合には、ポンプ２１（吐出口２７）と受熱部７２との連結部分に鈍角の部分が存することになる。
【００３７】
このようにすることにより、冷却装置９１において、複数の発熱部材の冷却が、複数の受熱部７２を使用してできる。
【００３８】
［第５実施例］
図９に示す第５実施例においては、ポンプ２１が、吸入口２６と吐出口２７とを、ケーシング２２の一面からでなく、隣接する二面から互いに異なる方向に指向するように設けており、冷却装置１０１は、それらに放熱部５２を連結している。又、この場合、ポンプ２１は、受熱部を一体的に有するが、別体で有していても良い。
このようにしても、ポンプ２１においては、連結相手部材である放熱部５２と、それぞれ連結部分を鋭角に曲げず、且つ、配管を長くすることなく連結できる。
【００３９】
［第６実施例］
図１０に示す第６実施例においては、ポンプ２１を電気機器、中でも、パーソナルコンピュータ１１１に使用している。詳細には、パーソナルコンピュータ１１１の本体部１１２がキーボード（図示省略）を具え、本体部１１２に開閉回動可能に設けられた蓋部１１３が液晶による表示部（これも図示省略）を具えた一般的構成に対し、その本体部１１２の内部（キーボードの下側）に設けられた発熱部材としてのＣＰＵ１１４に、ポンプ２１の前記ケーシング本体２３（受熱部）を密接させている。
【００４０】
そして、冷却装置１１５としては、蓋部１１３の内部（表示部の裏側）に、放熱部１１６を設けており、これの入口部１１７と上記ポンプ２１の吐出口２７とを連結パイプ１１８により接続し、放熱部１１６の出口部１１９とポンプ２１の吸入口２６とを連結パイプ１２０により接続している。
【００４１】
従って、この構成でも、ポンプ２１を作動させれば、放熱部１１６内の流体（この場合も、例えば液体）が、連結パイプ１２０を通じてポンプ２１の吸入口２６からポンプ室２５内に吸入され、吐出口２７から連結パイプ１１８を通じて吐出されることにより、放熱部１１６内の流体が循環され、その過程で、ＣＰＵ１１４が発した熱をポンプ２１のケーシング主体２３（受熱部）を介して奪う。
又、このとき、放熱部１１６では、そこを通る液体が冷却され、この冷却された液体が前記ポンプ２１により吸入されるものであり、これを繰り返して、上記ＣＰＵ１１４（発熱部材）が冷却される。
【００４２】
このものによれば、ポンプ２１の吸入口２６及び吐出口２７の指向方向が互いに異なることに応じて、パーソナルコンピュータ１１１の蓋部１１３に設けた放熱部１１６の入口部１１７及び出口部１１９と、ポンプ２１の吸入口２６及び吐出口２７との間を、連結パイプ１１８、１２０により、極力鋭角に曲げず、且つ、配管を極力長くすることなく連結できるので、流体を、圧力損失少なく、流量及び流速も低下させることなく流通させることができる。よって、ＣＰＵ１１４（発熱部材）の冷却性能を充分に得ることができる。
【００４３】
なお、この場合も、ポンプ２１は、受熱部を別体で有していても良い。又、ポンプ２１の吸入口２６と吐出口２７の指向方向は、パーソナルコンピュータ１１１の本体部１１２内における連結パイプ１１８、１２０の配管事情に合わせて、それらを逆に、又は第１実施例と同じ形態で異ならせるようにしても良い。更に、この場合も、ポンプ２１（吸入口２６）と放熱部１１６の出口部１１９との連結部分である連結パイプ１２０に鈍角の部分が存しているが、ポンプ２１の吸入口２６と吐出口２７の指向方向を逆にした場合には、ポンプ２１（吐出口２７）と放熱部１１６の入口部１１７との連結部分である連結パイプ１１８に鈍角の部分が存することになる。
【００４４】
このほか、本発明は上記し且つ図面に示した実施例にのみ限定されるものではなく、例えば、発熱部材の温度又は流体の温度を検知して、モータ４４の回転子４３の回転速度を変化させることにより、ポンプ２１による送液の量を変化させるようにしても良いなど、
要旨を逸脱しない範囲内で適宜変更して実施し得る。
【図面の簡単な説明】
【００４５】
【図１】本発明の第１実施例を示すポンプの分解斜視図
【図２】図１とは反対側から見たポンプの分解斜視図
【図３】図１のＸ−Ｘ線に沿うポンプの組立て状態での拡大横断面図
【図４】冷却装置の分解斜視図
【図５】冷却装置の縦断面図
【図６】本発明の第２実施例を示す冷却装置の概略構成図
【図７】本発明の第３実施例を示す図６相当図
【図８】本発明の第４実施例を示す図６相当図
【図９】本発明の第５実施例を示す図６相当図
【図１０】本発明の第６実施例を示すパーソナルコンピュータの透視斜視図
【図１１】従来例を示す図４相当図
【図１２】図５相当図
【符号の説明】
【００４６】
図面中、２１はポンプ、２２はケーシング、２３はケーシング主体（受熱部）、２５はポンプ室、２６は吸入口、２７は吐出口、２９はインペラ、５１は冷却装置、５２は放熱部、７１は冷却装置、７２は受熱部、８１，９１，１０１は冷却装置、１１１はパーソナルコンピュータ（電気機器）、１１４はＣＰＵ、１１５は冷却装置、１１６は放熱部を示す。
【図１】
2005294519.tif 000003
【図２】
2005294519.tif 000004
【図３】
2005294519.tif 000005
【図４】
2005294519.tif 000006
【図５】
2005294519.tif 000007
【図６】
2005294519.tif 000008
【図７】
2005294519.tif 000009
【図８】
2005294519.tif 000010
【図９】
2005294519.tif 000011
【図１０】
2005294519.tif 000012
【図１１】
2005294519.tif 000013
【図１２】
2005294519.tif 000014